(57)【要約】【課題】天吊り装置を目視できなくても確実な設置が行える設置状態の信頼性を向上でき、その際の設置作業の安全性も向上でき、また、設置後の安全性も確保できる天吊り装置を提供すること。【解決手段】プロジェクター５を吊り下げる天吊り装置１は、天井面８００に固定され、一対の案内部１０４と、案内部１０４の端部に形成される一対の第１保持部１０５と、を有する第１基板１０と、案内部１０４に対し、両端近傍を掛着して摺動し、第１保持部１０５に回動自在に保持される第１保持部材５０を有し、プロジェクター５を保持する第２基板２０と、を備える。【選択図】図３
2011013267.tif 000002
【特許請求の範囲】
【請求項１】
プロジェクター用の天吊り装置であって、
一対の案内部と、当該案内部の端部に形成される一対の第１保持部と、を有し、取り付け面に固定される第１基板と、
前記案内部に対し、両端近傍を掛着して摺動し、前記第１保持部に回動自在に保持される第１保持部材を有し、前記プロジェクターを保持する第２基板と、
を備えることを特徴とする天吊り装置。
【請求項２】
請求項１に記載の天吊り装置であって、
前記第１保持部材を前記案内部に掛着および摺動する場合、前記第１保持部材の動作を補助する補助部を備えていることを特徴とする天吊り装置。
【請求項３】
請求項１または請求項２に記載の天吊り装置であって、
前記第１基板は、前記第２基板に対し、仮固定および本固定を行う第１固定部を有し、
前記第２基板は、前記第１基板に対し、前記第１保持部材を回動軸として前記プロジェクターを回動すると共に、前記回動軸を中心に形成され、前記第１固定部と協働して回動角度を調整する第１角度調整部を有していることを特徴とする天吊り装置。
【請求項４】
請求項１〜請求項３のいずれか一項に記載の天吊り装置であって、
前記プロジェクターを固定し、前記第２基板と共に前記プロジェクターを保持する第３基板と、
前記第１保持部材の軸方向に直交し、前記第３基板に固定され、前記第２基板に対して前記第３基板を回動自在とする第２保持部材と、
前記第２基板に形成され、前記第２保持部材の両端近傍を回動自在に保持する一対の第２保持部と、を備えていることを特徴とする天吊り装置。
【請求項５】
請求項４に記載の天吊り装置であって、
前記第２基板は、前記第３基板に対し、仮固定および本固定を行う第２固定部を有し、
前記第３基板は、前記第２基板に対し、前記第２保持部材を回動軸として前記プロジェクターを回動すると共に、前記回動軸を中心に形成され、前記第２固定部と協働して回動角度を調整する第２角度調整部を有していることを特徴とする天吊り装置。
【請求項６】
請求項１〜請求項５のいずれか一項に記載の天吊り装置であって、
前記第１保持部材は、前記プロジェクターの重心位置に略相対する部位に設置されていることを特徴とする天吊り装置。
【請求項７】
請求項１〜請求項６のいずれか一項に記載の天吊り装置であって、
前記第２保持部材は、前記プロジェクターの重心位置に略相対する部位に設置されていることを特徴とする天吊り装置。
【請求項８】
請求項１〜請求項７のいずれか一項に記載の天吊り装置であって、
前記第１基板は、前記第２基板を正規な位置に保持した場合、前記第２基板の外周から外部に延出する確認用領域を有していることを特徴とする天吊り装置。
【発明の詳細な説明】
【技術分野】
【０００１】
本発明は、プロジェクター用の天吊り装置に関する。
【背景技術】
【０００２】
従来、プロジェクター用の天吊り装置は、天井などに設置されて、プロジェクターを固定することにより、プロジェクターからの画像光を、壁面に設置されたスクリーンや、起立式のスクリーンなどに投写させている。また、天吊り装置は、市場の要望などから、目立たせないように構成されている。そのため、天吊り装置は、プロジェクターを天井面に極力接近させる（プロジェクターと天井面との隙間を極力狭くする）構造としている。
【０００３】
図１１は、従来の天吊り装置の概構成図であり、図１１（ａ）は側面図であり、図１１（ｂ）は平面図である。なお、図１１（ｂ）に示す平面図は、天吊り装置９１０が取り付けられる天井面９９０側から見た図である。図１１を参照して、従来の天吊り装置９１０の構成および動作を説明する。
図１１に示すように、天吊り装置９１０は、大略、ベース基板９２０と角度調整基板９３０とプロジェクター固定板９４０とで構成されている。
【０００４】
天吊り装置９１０の組み立て方法を簡単に説明する。
最初に、ベース基板９２０を天井面９９０にボルトで固定する。このとき、ベース基板９２０の両側面のネジ孔にボルト９２０ａ，９２０ｂを仮止めする。プロジェクター固定板９４０は、プロジェクター９００に設置された取り付け用のネジ孔にボルト９４０ａ，９４０ｂ，９４０ｃで固定する。次に、角度調整基板９３０をプロジェクター固定板９４０に固定する。固定は、ボルト９３０ａ，９３０ｂ，９３０ｃ，９３０ｄ，９３０ｅ，９３０ｆで固定する。
【０００５】
次に、角度調整基板９３０の側面に形成されている一対の掛着部９３１，９３２を、ベース基板９２０に仮止めしたボルト９２０ａ，９２０ｂに掛着する（引っ掛ける）。次に、ボルト９３０ｇ，９３０ｈを、角度調整基板９３０の両側面に形成されている調整用孔９３３，９３４に挿通し、ベース基板９２０の両側面のネジ孔に固定することにより、角度調整基板９３０とベース基板９２０とを固定する。
この取り付け作業により、天吊り装置９１０は組み立てられて、プロジェクター９００を吊り下げることができる。
【０００６】
なお、天吊り装置９１０は、プロジェクター９００の投写レンズ９０１からスクリーン（図示省略）に投写される投写位置が、上下方向（重力方向が下方向）にズレている場合や、左右の傾きがある場合には、プロジェクター９００の取り付け角度を調整することができる。
【０００７】
プロジェクター９００の取り付け角度の調整方法を簡単に説明する。
上下方向の角度調整は、ベース基板９２０と角度調整基板９３０を固定しているボルト９３０ｇ，９３０ｈを緩め、プロジェクター９００の後部（投写レンズ９０１と反対側）を上下方向に移動させることで、投写位置がスクリーンに合うように調整する。このときプロジェクター９００は、ボルト９２０ａ，９２０ｂを回動軸として回動する。なお、回動可能範囲は、調整用孔９３３，９３４の範囲内となる。調整後は、ボルト９３０ｇ，９３０ｈを締め付ける。
【０００８】
左右方向の角度調整は、プロジェクター固定板９４０と角度調整基板９３０を固定しているボルト９３０ａ，９３０ｂ，９３０ｃ，９３０ｄ，９３０ｅ，９３０ｆを緩め、プロジェクター９００の左右を上下方向に移動させることで、投写位置がスクリーンに合うように調整する。このときプロジェクター９００は、ボルト９３０ａ，９３０ｄを回動軸として回動する。なお、回動可能範囲は、ボルト９３０ｂ，９３０ｃ，９３０ｅ，９３０ｆで固定しているプロジェクター固定板９４０に形成される調整用孔（図示省略）の範囲内となる。調整後は、ボルト９３０ａ〜９３０ｆを締め付ける。
この調整作業により、プロジェクター９００の角度調整を行うことができる。
上述した天吊り装置９１０は、プロジェクター９００を天井面９９０に極力接近させることにより、天吊り装置９１０を目立たせなくしている。
【発明の概要】
【発明が解決しようとする課題】
【０００９】
しかし、上述した天吊り装置９１０を含め、天吊り装置が薄型化された場合、天吊り装置の取り付け作業（設置作業）において、作業者は、目視して作業ができない状況が生じてしまう。その場合、設置状態の信頼性や、設置作業の安全性が低下してしまうという課題がある。例えば、天吊り装置９１０の場合、角度調整基板９３０の側面に形成される一対の掛着部９３１，９３２を、ベース基板９２０に仮止めしたボルト９２０ａ，９２０ｂに掛着する作業は、取り付け作業の中でも、特に設置状態の信頼性が決まる重要な部分であり、また、特に設置作業の安全性を確保するための重要な部分である。このような掛着作業において、目視して作業ができない状況が生じた場合には、天吊り装置９１０の設置状態の信頼性や設置作業の安全性が確保し難くなる。また、設置後においては、プロジェクター９００の脱落防止などを含む安全性が確保し難くなるという課題がある。なお、このような状況を避けるため、天吊り装置の外形（平面サイズ）をプロジェクターの外形（平面サイズ）に近づけることで、天吊り装置を目視可能とさせ、設置状態の信頼性および設置作業の安全性を向上させることができるが、設置後の天吊り装置の見栄えが悪いなどの課題があった。
【００１０】
従って、天吊り装置を目視できなくても確実な設置が行える設置状態の信頼性を向上でき、その際の設置作業の安全性も向上でき、また、設置後の安全性も確保できる天吊り装置が要望されていた。
【課題を解決するための手段】
【００１１】
本発明は、上述した課題の少なくとも一部を解決するためになされたものであり、以下の形態または適用例として実現することが可能である。
【００１２】
（適用例１）本適用例に係る天吊り装置は、プロジェクター用の天吊り装置であって、（ａ）一対の案内部と、案内部の端部に形成される一対の第１保持部と、を有し、取り付け面に固定される第１基板と、（ｂ）案内部に対し、両端近傍を掛着して摺動し、第１保持部に回動自在に保持される第１保持部材を有し、プロジェクターを保持する第２基板と、を備えることを特徴とする。
【００１３】
このような天吊り装置によれば、第２基板がプロジェクターを保持しており、また、第２基板の有する第１保持部材の両端近傍を、第１基板の一対の案内部に掛着して摺動し、案内部の端部に形成される一対の第１保持部に回動自在に保持させる。このように、第１基板に備える一対の案内部に、第２基板に備える第１保持部材の両端近傍を掛着させて摺動することにより、天吊り装置（第１基板の第１保持部や案内部、および第２基板の第１保持部材）が目視できなくても、第２基板の第１保持部材を、第１保持部に保持させることが容易に行える。
【００１４】
なお、例えば、掛着する作業の前作業として、天井面などに固定されている第１基板に対して、プロジェクターを保持している第２基板を持ち上げて接近させる。この状態では、第１基板の案内部と第２基板の第１保持部材との位置を目視で確認できるため、案内部に掛着することができる位置に第１保持部材の位置を概略合わせることができる。その後、案内部への第１保持部材の掛着を実際に行う作業が目視できなくても、真上に持ち上げることで、掛着させることが可能となる。その後は、摺動させるという容易な動作で、第１保持部に第１保持部材を保持させることができる。従って、第１保持部に第１保持部材を確実に設置できることで、設置状態の信頼性を向上できる。
【００１５】
また、案内部に第１保持部材を掛着した後、案内部に対して第１保持部材を摺動させる際には、プロジェクターから手を離したとしても脱落することがなくなる。そのため、作業者は、プロジェクターおよび第２基板の重量から開放される。そして、作業者は、プロジェクターが回転しないように手を添えながら、案内部に第１保持部材を摺動させることにより、第１保持部に第１保持部材を確実に設置して保持させることができる。これにより、設置作業の安全性を向上させることができる。
【００１６】
また、第１保持部材は、両端近傍を一対（２つ）の案内部に掛着して摺動し、一対の第１保持部に回動自在に保持される。言い換えれば、第１保持部材は、１つの回動軸で、一対（２つ）の第１保持部に保持されて回動を行うため、第１保持部の成形による位置ズレには影響されずに、安定した回動を行うことできる。これにより、第２基板（プロジェクター）は、安定した回動を行うことができる。
【００１７】
（適用例２）上記適用例に係る天吊り装置において、第１保持部材を案内部に掛着および摺動する場合、第１保持部材の動作を補助する補助部を備えていることが好ましい。
【００１８】
このような天吊り装置によれば、補助部を備えることにより、第１保持部材を確実に案内部に誘導させることができる。また、第１保持部材を案内部に沿わせてスムーズに摺動させることができる。これにより、設置作業の効率化を図ることができ、設置状態の信頼性の更なる向上と、設置作業の安全性の更なる向上を図ることができる。
【００１９】
（適用例３）上記適用例に係る天吊り装置において、第１基板は、第２基板に対し、仮固定および本固定を行う第１固定部を有し、第２基板は、第１基板に対し、第１保持部材を回動軸としてプロジェクターを回動すると共に、回動軸を中心に形成され、第１固定部と協働して回動角度を調整する第１角度調整部を有していることが好ましい。
【００２０】
このような天吊り装置によれば、第１固定部で第２基板を仮固定し、第１保持部材を回動軸としてプロジェクターを回動させ、第１固定部および第１角度調整部により、プロジェクターの回動角度を調整する。調整後、第１固定部により第２基板を本固定する。また、第２基板（プロジェクター）は、第１保持部材により、第１保持部の成形による位置ズレには影響されずに、安定した回動を行う。従って、角度調整作業を正確で効率的に行うことができる。
【００２１】
（適用例４）上記適用例に係る天吊り装置において、プロジェクターを固定し、第２基板と共にプロジェクターを保持する第３基板と、第１保持部材の軸方向に直交し、第３基板に固定され、第２基板に対して第３基板を回動自在とする第２保持部材と、第２基板に形成され、第２保持部材の両端近傍を回動自在に保持する一対の第２保持部と、を備えていることが好ましい。
【００２２】
このような天吊り装置によれば、第２保持部材は、両端近傍を一対の第２保持部で保持されて回動するため、１つの回動軸で回動することができる。これにより、第２保持部の成形による位置ズレには影響されずに、安定した回動を行うことができる。これにより、第３基板（プロジェクター）は、安定した回動を行うことができる。また、この回動は、第１保持部材の軸方向に直交した回動軸で回動を行うことができる。
【００２３】
（適用例５）上記適用例に係る天吊り装置において、第２基板は、第３基板に対し、仮固定および本固定を行う第２固定部を有し、第３基板は、第２基板に対し、第２保持部材を回動軸としてプロジェクターを回動すると共に、回動軸を中心に形成され、第２固定部と協働して回動角度を調整する第２角度調整部を有していることが好ましい。
【００２４】
このような天吊り装置によれば、第２固定部で第３基板を仮固定し、第２保持部材を回動軸としてプロジェクターを回動させ、第２固定部および第２角度調整部により、プロジェクターの回動角度を調整する。調整後、第２固定部により第３基板を本固定する。なお、第２保持部材は両端近傍を一対（２つ）の第２保持部に保持されて回動を行うため、１つの回動軸で、第２保持部の成形による位置ズレには影響されずに、第３基板（プロジェクター）は安定した回動を行うことができる。従って、角度調整作業を正確で効率的に行うことができる。
【００２５】
これにより、第１保持部材を回動軸として回動させて行う角度調整の他、第１保持部材に直交する第２保持部材を回動軸として回動させて行う角度調整も行える。これにより、直交する２方向の角度調整が正確で効率的に行うことができる。
【００２６】
（適用例６）上記適用例に係る天吊り装置において、第１保持部材は、プロジェクターの重心位置に略相対する部位に設置されていることが好ましい。
【００２７】
このような天吊り装置によれば、第１保持部材が、プロジェクターの重心位置に略相対する部位に設置されていることにより、第１保持部材の軸方向に垂直な方向のバランスが取れる。これにより、案内部に第１保持部材を掛着した後では、プロジェクターを支える力はほとんど必要なくなる。そのため、案内部に第１保持部材を掛着した後、案内部に第１保持部材を摺動させて第１保持部に保持させるまでの作業を安全に行うことができ、確実に保持させることができる。
【００２８】
（適用例７）上記適用例に係る天吊り装置において、第２保持部材は、プロジェクターの重心位置に略相対する部位に設置されていることが好ましい。
【００２９】
このような天吊り装置によれば、第２保持部材が、プロジェクターの重心位置に略相対する部位に設置されていることにより、第２保持部材の軸方向に垂直な方向のバランスが取れる。これにより、プロジェクターの角度調整作業を安全で効率的に行うことができる。
【００３０】
（適用例８）上記適用例に係る天吊り装置において、第１基板は、第２基板を正規な位置に保持した場合、第２基板の外周から外部に延出する確認用領域を有していることが好ましい。
【００３１】
このような天吊り装置によれば、設置作業が終了した後、第２基板の外周から外部に延出する確認用領域が目視できるか否かで、天吊り装置に保持されたプロジェクターが、正常な位置に保持されているか否かが確認できる。従って、天吊り装置に保持したプロジェクターの安全性の確認が、天吊り装置から離れた場所で、目視で行える。これにより、設置後のメンテナンス性を向上させることができる。
【図面の簡単な説明】
【００３２】
【図１】本実施形態に係る天吊り装置を示す図であり、（ａ）はプロジェクターを取り付けた天吊り装置の側面図であり、（ｂ）はプロジェクターを取り付けた天吊り装置の正面図。
【図２】プロジェクターを取り付けた天吊り装置の平面図。
【図３】天吊り装置の組立図。
【図４】掛着ユニットを示す斜視図。
【図５】第１基板に保持ユニットを位置合わせする場合の斜視図。
【図６】第１基板に保持ユニットを掛着させる場合の直前の斜視図。
【図７】第１基板の案内部に保持ユニットを掛着させた場合の斜視図。
【図８】第１基板の第保持部に保持ユニットの第１保持部材が保持された場合の斜視図。
【図９】天吊り装置の前後方向の角度調整について説明する側面図であり、（ａ）は保持ユニットを第１基板に略平行に仮固定した場合の側面図であり、（ｂ）は、保持ユニットを第１基板に対して前側を下げる角度調整を行った場合の側面図であり、（ｃ）は（ｂ）の角度調整においてプロジェクターを追加した場合の側面図。
【図１０】天吊り装置１の左右方向の角度調整について説明する側面図であり、（ａ）は保持ユニットを第１基板に略平行に仮固定した場合の側面図であり、（ｂ）は保持ユニットを第１基板に対して左側を下げる（右側を上げる）角度調整を行った場合の側面図。
【図１１】従来の天吊り装置の概構成図であり、（ａ）は側面図であり、（ｂ）は平面図。
【発明を実施するための形態】
【００３３】
以下、実施形態を図面に基づいて説明する。
（実施形態）
【００３４】
図１は、本実施形態に係る天吊り装置を示す図であり、図１（ａ）は、プロジェクターを取り付けた天吊り装置の側面図であり、図１（ｂ）は、プロジェクターを取り付けた天吊り装置の正面図である。また、図２は、プロジェクターを取り付けた天吊り装置の平面図である。なお、図２は、天吊り装置１を取り付ける天井面８００から見た平面図である。図１、図２を参照して、天吊り装置１およびプロジェクター５の外観的な構成および動作を説明する。
【００３５】
本実施形態の天吊り装置１は、プロジェクター５を天井面８００に吊り下げる装置である。また、天吊り装置１は、吊り下げたプロジェクター５の取り付け角度を調整してスクリーンＳに投写画像の位置を合わせる装置である。
【００３６】
天吊り装置１は、天井面８００にボルト（図示省略）により固定される。天吊り装置１は、本実施形態では、後述するが、大略、３つの板部材（第１基板１０、第２基板２０、第３基板３０）で構成されている。天井面８００に固定されるのは、第１基板１０である。また、プロジェクター５は、第３基板３０に固定される。そして、第３基板３０は、第２基板２０に保持される。また、第３基板３０を保持（プロジェクター５を保持）した第２基板２０は、第１基板１０に掛着して固定される。これにより、天吊り装置１は、プロジェクター５を天井面８００に吊り下げる。
【００３７】
プロジェクター５は、光源（図示省略）から射出された光束を、画像信号に基づき、光変調素子（図示省略）で変調して光学像を形成し、その光学像を投写レンズ５１２で画像光としてスクリーンＳなどに投写するものである。
【００３８】
なお、本実施形態を説明する図面（図１、図２、および以降で説明する図）において、天井面８００の法線方向を上下方向として、重力方向を下方向（下側）、天井面８００方向を上方向（上側）とする。また、法線方向（上下方向）に直交し、プロジェクター５の投写レンズ５１２が画像光を投写する方向（スクリーンＳ方向）を前後方向とし、スクリーンＳが設置される方向を前方向（前側）、逆側を後方向（後側）とする。また、上下方向と前後方向に直交する方向を左右方向として、図１（ｂ）に示す正面から見た（前方向から後方向を見た）プロジェクター５に向い合い、左手方向を左方向（左側）、右手方向を右方向（右側）とする。
【００３９】
プロジェクター５は、略直方体形状の外装筐体５１０で覆われている。外装筐体５１０内部には、上述した光変調素子などを収容する光学ユニット（図示省略）や、プロジェクター５の動作制御を行う制御部を含む、回路構成部（図示省略）などを備えている。
【００４０】
プロジェクター５の上面５ａには、プロジェクター５を天吊り装置１に取り付けるためのハンドル５１１が外装筐体５１０の左右端部で前後方向に渡ってアーチ状に一対設置されている。プロジェクター５は、このハンドル５１１を天吊り装置１に挟持されて天吊りされる。本実施形態のプロジェクター５は、家庭などで用いられる一般的なプロジェクターに比べて外形が大きく、それに伴って重量も重いものである。一般的なプロジェクターでは、ナットなどを挿入して加工された脚部を利用して、天吊り装置にネジ止めされる。
【００４１】
プロジェクター５の下面５ｂには、操作入力を行うスイッチ部（図示省略）などが設置されている。プロジェクター５の前面５ｃには、中央に投写レンズ５１２が突出して設置されている。投写レンズ５１２から射出される画像光は、前方向に設置されたスクリーンＳに向かって投写される。また。投写レンズ５１２の左側には、リモートコントローラー（リモコン）からの操作信号を受信する信号受信窓５１３が設置されている。
【００４２】
図３は、天吊り装置の組立図である。図４は、掛着ユニットを示す斜視図である。なお、図４は、プロジェクター５の図示を省略している。図３、図４を参照して、天吊り装置１の構成および組み立て方法を説明する。なお、図１、図２を適宜参照する。
【００４３】
天吊り装置１の構成に関して説明する。
本実施形態の天吊り装置１は、大略、第１基板１０、第２基板２０、および第３基板３０で構成されている。また、天吊り装置１は、第１保持部材５０および第２保持部材６０を備えている。また、天吊り装置１は、プロジェクター５のハンドル５１１を保持するハンドル保持部材４０を備えている。
【００４４】
第１基板１０は、天吊り装置１を天井面８００に固定する部材である。第１基板１０は、略矩形の第１基板本体１０１を基に形成されている。この第１基板本体１０１の前方向の左右には、第１基板１０を天井面８００に固定する際にボルト（図示省略）を下方向から挿通する固定用孔部１０２が形成されている。また、第１基板本体１０１の左右方向の両端部には、下方向に対向して起立した起立部１０３が形成されている。起立部１０３は、前方向に、第２基板２０に固定される第１保持部材５０を掛着および摺動して案内する案内部１０４と、第１保持部材５０を回動自在に保持する第１保持部１０５とが形成されている。
【００４５】
案内部１０４は、起立部１０３の略中央から前方向に向かって形成されており、右側面から見た場合、第１保持部１０５も含み、略Ｌ字状に形成されている。また、案内部１０４の前方向の端部には、第１保持部１０５が形成されている。第１保持部１０５は、案内部１０４の上端面１０４ａから一段下方向に下がって形成されている。なお、上端面１０４ａは、第１基板本体１０１の面に平行に形成されておらず、前方向（第１保持部１０５の方向）に向かって下方向に緩やかに傾斜している。
【００４６】
また、案内部１０４の下側端面は内側に向かって湾曲した湾曲部１０６が形成されている、この湾曲部１０６により、プロジェクター５を保持する第２基板２０を、案内部１０４および第１保持部１０５に掛着した場合の剛性を確保している。また、起立部１０３の後方向には、第１固定部を構成する固定用孔部１０７が形成されている。この固定用孔部１０７は、プロジェクター５の前後方向の取り付け角度調整を行う際に、第２基板２０を第１基板１０に対して仮固定および本固定を行う。固定用孔部１０７は、その内側にナットが溶接されている。
【００４７】
案内部１０４は、起立部１０３の中央部分を切り欠いて形成されている。その切り欠いた領域を切り欠き部１１０とする。この切り欠き部１１０は、幅を広めに取っており、また切り欠き部１１０の上方向は狭まるように形成している。また、切り欠き部１１０は、端面１１０ａを有し、第１保持部材５０を端面１１０ａに当接させて、案内部１０４側に摺動させることで、第１保持部材５０を案内部１０４に誘導する。切り欠き部１１０は、第１保持部材５０を案内部１０４に掛着する際の補助部を構成している。
【００４８】
なお、起立部１０３を含め、起立部１０３に形成される案内部１０４、第１保持部１０５、湾曲部１０６、固定用孔部１０７は、第１基板１０を左右方向に２等分する垂直面を中心として、対称に形成されている。すなわち、上記構成部は、対称に一対（２つ）ずつ形成されている。
【００４９】
なお、以降の説明において、左右方向または前後方向に対称に形成される構成部に対して、一方の構成部を呼称する場合には、右側、左側、または前側、後側という違いをつける。
【００５０】
第２基板２０は、プロジェクター５を固定した第３基板３０を保持して第１基板１０に掛着（第１保持部１０５に保持）する部材である。また、第２基板２０は、第１基板１０と協働して、プロジェクター５の前後方向の取り付け角度を調整する部材である。
【００５１】
第２基板２０は、略矩形の第２基板本体２０１を基に形成されている。この第２基板本体２０１の左右方向端部には、対向させて起立させた起立部２０２が形成されている。起立部２０２の中央部は、上方向から切り欠かれた切り欠き部２０３が形成されている。起立部２０２の前方向には、固定用孔部２０４が形成されている。この固定用孔部２０４は、第１保持部材５０を固定するためのものである。左側の起立部２０２に形成される固定用孔部２０４は、第１保持部材５０を挿通させる孔である。右側の固定用孔部２０４は、外側にナットが溶接されており、挿通した第１保持部材５０をナットに螺合させて固定する孔である。
【００５２】
起立部２０２の後方向には、第１角度調整部を構成する第１角度調整孔部２０５が形成されている。この第１角度調整孔部２０５は、プロジェクター５の前後方向の取り付け角度を調整する際に使用されるものである。第１角度調整孔部２０５は、詳細は後述するが、固定用孔部２０４の孔中心（言い換えると、第１保持部材５０の軸中心）を中心にプロジェクター５が回動するように長孔形状に形成されている。
【００５３】
また、起立部２０２の前側端部には、起立部２０２の端部を外側に湾曲させた湾曲部２０６が形成されている。この湾曲部２０６は、第１保持部材５０を案内部１０４に掛着する際に、起立部２０２が案内部１０４の先端部分や、側面部分に当接した場合にも、噛み付きを防止して、起立部２０２にスムーズな動作を行わせる。湾曲部２０６は、第１保持部材５０を案内部１０４に掛着する際の補助部を構成している。
【００５４】
なお、起立部２０２を含め、起立部２０２に形成される切り欠き部２０３、固定用孔部２０４、第１角度調整孔部２０５、湾曲部２０６は、第２基板２０を左右方向に２等分する垂直面を中心として、対称に形成されている。すなわち、上記構成部は、対称に一対（２つ）ずつ形成されている（但し、固定用孔部２０４は、上記の違いを有している）。
【００５５】
第２基板本体２０１の前後方向端部には、対向させて起立させた起立部２１１が形成されている。起立部２１１の中央部には、第２保持部としての保持用孔部２１２が形成されている。この保持用孔部２１２は、第２保持部材６０を回動自在に保持するためのものであり、前側および後側の起立部２１１に形成される２つの保持用孔部２１２は、第２保持部材６０を挿通させる。
【００５６】
起立部２１１の左右方向には、第２固定部を構成する２つの固定用孔部２１３，２１４が形成されている。この固定用孔部２１３，２１４は、プロジェクター５の左右方向の取り付け角度調整を行う際に、第３基板３０を第２基板２０に対して仮固定および本固定を行う。固定用孔部２１３，２１４は、その内側にナットが溶接されている。
【００５７】
なお、起立部２１１を含め、起立部２１１に形成される保持用孔部２１２、固定用孔部２１３，２１４は、第２基板２０を前後方向に２等分する垂直面を中心として、対称に形成されている。すなわち、上記構成部は、対称に一対（２つ）ずつ形成されている。
【００５８】
第３基板３０は、プロジェクター５を固定する部材である。また、第３基板３０は、第２基板２０と協働して、プロジェクター５の左右方向の取り付け角度を調整する部材である。
【００５９】
第３基板３０は、略矩形の第３基板本体３０１を基に形成されている。この第３基板本体３０１の左右方向端部には、対向させて起立させた起立部３０２が形成されている。起立部３０２の前後方向には、更に外側に曲折して延出する延出部３０３，３０４が形成されている。なお、延出部３０３，３０４には、後述するハンドル保持部材４０を固定するネジ孔３０５を有している。
【００６０】
第３基板本体３０１の前方向端部は、第３基板本体３０１の剛性を向上させるために折り返して重ねた折り返し部３０６を有している。また、第３基板本体３０１の前方向（折り返し部３０６の後方）と、後方向端部には、対向させて起立させた起立部３０７が形成されている。前方向の起立部３０７は、第３基板本体３０１を切り起して形成されている。
【００６１】
起立部３０７の中央部には、固定用孔部３０８が形成されている。この固定用孔部３０８は、第２保持部材６０を固定するためのものである。前側の起立部３０７に形成される固定用孔部３０８は、第２保持部材６０を挿通させる孔であり、後側の固定用孔部３０８は、外側にナットが溶接されており、挿通した第２保持部材６０をナットに螺合させて固定する孔である。
【００６２】
起立部３０７に形成される固定用孔部３０８の左右方向端部には、固定用孔部３０８を中心に対称となる、第２角度調整部を構成する２つの第２角度調整孔部３１０，３１１が形成されている。この第２角度調整孔部３１０，３１１は、プロジェクター５の左右方向の取り付け角度を調整する際に使用されるものである。また、詳細は後述するが、第２角度調整孔部３１０，３１１は、固定用孔部３０８の孔中心（言い換えると、第２保持部材６０の軸中心）を中心にプロジェクター５が回動するように長孔形状に形成されている。
【００６３】
なお、起立部３０７を含め、起立部３０７に形成される固定用孔部３０８、第２角度調整孔部３１０，３１１は、第３基板３０を前後方向に略２等分する垂直面を中心として、対称に形成されている。すなわち、上記構成部は、対称に一対（２つ）ずつ形成されている（但し、固定用孔部３０８は、上記の違いを有している）。
【００６４】
ハンドル保持部材４０は、プロジェクター５のハンドル５１１を保持する部材である。また、ハンドル保持部材４０は、第３基板３０の延出部３０３，３０４に固定する部材である。
【００６５】
ハンドル保持部材４０は、略矩形の保持部材本体４０１を基に形成されている。この保持部材本体４０１の一方の端部には、下方向に曲折して延出し、更に内側に曲折して延出する、断面略Ｃ字状の保持部４０２が形成されている。なお、保持部材本体４０１には、延出部３０３，３０４に固定する際に使用する固定用孔４０３が形成されている。
【００６６】
ここで、第１保持部材５０と第２保持部材６０との構成に関して説明する。
第１保持部材５０は、第２基板２０に固定され、第１基板１０に形成する案内部１０４の上端面１０４ａに両端近傍を掛着して摺動し、第１保持部１０５に回動自在に保持される部材である。なお、第１保持部材５０は、１つのボルトで構成されている。また、第２保持部材６０は、第３基板３０に固定され、第２基板２０に形成する保持用孔部２１２に両端近傍を回動自在に保持される部材である。なお、第２保持部材６０は、第１保持部材５０と同様に、１つのボルトで構成されている。
【００６７】
天吊り装置１の組み立て方法に関して説明する。
最初に、第２基板２０に第１保持部材５０を固定する。詳細には、第２基板２０の、左側の固定用孔部２０４に第１保持部材５０を挿通して、右側の固定用孔部２０４に螺合させることにより固定する。
【００６８】
次に、第２基板２０と第３基板３０とを組み付ける。
最初に、第３基板３０の２つの起立部３０７の間に、第２基板２０の２つの起立部２１１が相対して位置するように、上方向から第２基板２０を挿入する。
【００６９】
次に、第２保持部材６０を、第２基板２０と第３基板３０とに組み付ける。詳細には、第３基板３０の、前側の固定用孔部３０８に第２保持部材６０を挿通し、続いて、第２基板２０の、前側の保持用孔部２１２と後側の保持用孔部２１２とに挿通する。そして、最後に第３基板３０の、後側の固定用孔部３０８に螺合させることにより固定する。
【００７０】
これにより、第２保持部材６０は、第３基板３０の固定用孔部３０８に固定され、第２保持部材６０の両端近傍を第２基板２０の保持用孔部２１２に保持される。言い換えると、第２保持部材６０は、第３基板３０と共に、第２基板２０に回動自在に保持される。また、第２保持部材６０の軸方向（軸Ｂ）は、第１保持部材５０の軸方向（軸Ａ）に対して直交する位置関係となる。
【００７１】
次に、ボルト７０１を第３基板３０の、前側の第２角度調整孔部３１０に挿通し、続いて、第２基板２０の、前側の固定用孔部２１３に螺合して固定する。また、ボルト７０１を第３基板３０の、前側の第２角度調整孔部３１１に挿通し、続いて、第２基板２０の、前側の固定用孔部２１４に螺合して固定する。この組み立てを、後側の第２角度調整孔部３１０および固定用孔部２１３に対しても行う。同様に、後側の第２角度調整孔部３１１および固定用孔部２１４に対しても行う。なお、この固定は仮固定である。また、ボルト７０１は、第２固定部を構成している。
以上により、図４に示すように、第２基板２０と第３基板３０とが組み付けられる。なお、第２基板２０と第３基板３０とを組み付けたユニットを、以降、掛着ユニット６と呼称する。
【００７２】
次に、第３基板３０の延出部３０３，３０４にハンドル保持部材４０を組み付ける。詳細には、ハンドル保持部材４０の保持部材本体４０１を延出部３０３，３０４の上面に当接させ、固定用孔４０３にボルト７０２を挿通させ、対応する延出部３０３，３０４のネジ孔３０５に螺合させる。なお、この固定は仮固定である。
以上により、図４に示すように、第３基板３０にハンドル保持部材４０が組み付けられる。
【００７３】
次に、プロジェクター５をハンドル保持部材４０で固定（保持）する。詳細には、プロジェクター５のハンドル５１１をハンドル保持部材４０で挟持するように固定する。プロジェクター５の右側のハンドル５１１に対して、第３基板３０の右側に仮固定したハンドル保持部材４０の保持部４０２に保持させる。また、同様に、プロジェクター５の左側のハンドル５１１に対して、第３基板３０の左側に仮固定したハンドル保持部材４０の保持部４０２に保持させる。
【００７４】
次に、プロジェクター５のハンドル５１１を挟持した、左右のハンドル保持部材４０に対して、力を加えて中心方向に押圧し、ボルト７０２を固定（本固定）する。これにより、プロジェクター５は、第３基板３０に固定される。なお、掛着ユニット６にハンドル保持部材４０を介してプロジェクター５を固定したユニットを、以降、保持ユニット７と呼称する。なお、図４にはプロジェクター５の図示を省略している。
【００７５】
以降では、天吊り装置１において、天井面８００に固定した第１基板１０に、保持ユニット７を掛着させる方法（作業手順）に関して説明する。
図５は、第１基板に保持ユニットを位置合わせする場合の斜視図である。図６は、第１基板に保持ユニットを掛着させる場合の直前の斜視図である。図７は、第１基板の案内部に保持ユニットを掛着させた場合の斜視図である。図８は、第１基板の第１保持部に保持ユニットの第１保持部材が保持された場合の斜視図である。図５〜図８を参照して、第１基板１０に保持ユニット７を掛着させる方法（作業手順）を説明する。
【００７６】
なお、図５〜図８において、プロジェクター５は、保持ユニット７に固定されているが、天吊り装置１の図面の見易さなど考慮して、図示は省略している。また、第１基板１０は、天井面８００に固定されているが、同様に、天吊り装置１の図面の見易さなど考慮して、図示は省略している。
【００７７】
第１基板１０の案内部１０４に、保持ユニット７の第１保持部材５０を掛着する作業に至る前の作業として、図５に示すように、最初に、保持ユニット７を第１基板１０の近くまで持ち上げる作業を行う。次に、第１基板１０の切り欠き部１１０の下方向に第１保持部材５０が位置するように、また、左右方向においても、切り欠き部１１０の下方向に第１保持部材５０が位置するように、目視しながら位置を合わせる。
【００７８】
次に、図６に示すように、位置合わせを行った状態の保持ユニット７を、真上に持ち上げる。そして、第１保持部材５０が切り欠き部１１０の端面１１０ａに当接した後、第１保持部材５０を端面１１０ａに沿って滑らせながら（摺動させながら）、前方向に移動させる。ある程度摺動させた場合、図７に示すように、案内部１０４の上端面１０４ａにも当接して摺動する状態となる。なお、ここで、保持ユニット７の持ち上げる力を弱めた場合、保持ユニット７が下方向に下がらないことや、左右方向のいずれかの方向に回転しないことなどが確認できた場合には、第１保持部材５０は、左右の案内部１０４に正常に掛着されたことになる。
以上の手順で作業を行うことにより、目視ができなくても、案内部１０４に第１保持部材５０の両端近傍を掛着させることが可能となる。
【００７９】
第１保持部材５０が、案内部１０４に正常に掛着され、案内部１０４の上端面１０４ａを摺動する状態となった場合、持ち上げていた保持ユニット７の持ち上げ力を緩めることができる。なお、第１保持部材５０は、保持ユニット７において、プロジェクター５の重心位置に相対する部位に設置されているため、第１保持部材５０の軸方向（軸Ａ）に垂直な方向となる前後方向のバランスが取れている。従って、案内部１０４に第１保持部材５０を掛着した後では、プロジェクター５を支える力はほとんど必要なくなる。保持ユニット７の持ち上げを仮に止めた場合でも、保持ユニット７に軽く手を添えることで、保持ユニット７の回転などは防止できる。
【００８０】
この状態で、保持ユニット７を前方向に押圧し、第１保持部材５０を案内部１０４の上端面１０４ａに摺動させて行くと、案内部１０４の端部に形成された第１保持部１０５に第１保持部材５０が落ち込む。これにより、図８に示すように、第１保持部材５０が第１保持部１０５に保持された状態となる。言い換えると、保持ユニット７が第１保持部１０５に保持された状態となる。この状態では、保持ユニット７は、第１保持部１０５に保持され、第１保持部材５０（軸Ａ（図３参照））を中心として回動自在となる。
以上の手順で作業を行うことにより、目視ができなくても、第１保持部材５０を第１保持部１０５に保持させることが可能となる。
【００８１】
なお、第１保持部材５０を案内部１０４の上端面１０４ａに摺動させる場合、上端面１０４ａは、前方向（第１保持部１０５の方向）に向かって下方向に緩やかに傾斜しているため、弱い力で前方向に保持ユニット７を押すことで、上端面１０４ａを摺動させることができる。
【００８２】
なお、図８は、第１基板１０の第１保持部１０５に保持ユニット７の第１保持部材５０が保持された場合を示していると共に、第１角度調整孔部２０５を介して、第２基板２０（保持ユニット７）を第１基板１０に仮固定した状態も示している。ここで、第２基板２０（保持ユニット７）を第１基板１０に仮固定する場合の作業を図３、図８を参照して説明する。
【００８３】
第１保持部材５０を第１保持部１０５に保持させた後、保持ユニット７の後側を持ち上げる。次に、図３に示すように、ボルト７０３を第２基板２０の第１角度調整孔部２０５に挿通し、続いて、第１基板１０の固定用孔部１０７に螺合して固定する。この作業を左右の第１角度調整孔部２０５に対して行う。なお、ボルト７０３は、第１固定部を構成している。以上により、図８に示すように、第２基板２０（保持ユニット７）を第１基板１０に仮固定できる。なお、図８にプロジェクター５を追加した状態を示す図は、図１（ａ）となる。
【００８４】
図９は、天吊り装置の前後方向の角度調整について説明する側面図であり、図９（ａ）は、保持ユニットを第１基板に略平行に仮固定した場合の側面図であり、図９（ｂ）は、保持ユニットを第１基板に対して前側を下げる角度調整を行った場合の側面図であり、図９（ｃ）は、図９（ｂ）の角度調整においてプロジェクターを追加した場合の側面図である。なお、図９（ｃ）は、図９（ａ）、図９（ｂ）に対して縮尺を変えている。図９を参照して、天吊り装置１の前後方向の角度調整（第１基板１０に対する保持ユニット７の前後方向の角度調整）に関して説明する。
【００８５】
本実施形態での前後方向の角度調整は、第１保持部材５０（軸Ａ）を中心として保持ユニット７を前後方向に傾けて調整する。詳細には、プロジェクター５の後部を手で保持して上下方向に移動させて行う。
【００８６】
なお、前後方向の角度調整範囲は、第１保持部材５０を中心として、第１角度調整孔部２０５の長手方向外周とボルト７０３の軸半径とで設定される角度調整範囲Ｃとなる。本実施形態における前後方向の角度調整範囲Ｃは、約±５°の範囲となる。
【００８７】
角度調整の手順を説明する。
図９（ａ）は、詳細には、第１基板１０に保持ユニット７を保持させ、ボルト７０３により、第２基板２０の第１角度調整孔部２０５を挿通させて、第１基板１０の固定用孔部１０７に仮固定した状態を示す図である。角度調整を行う場合、最初に、図９（ａ）において、仮固定したボルト７０３を緩める。これにより、保持ユニット７は、第１保持部材５０を中心に回動自在となる。
【００８８】
次に、プロジェクター５の後部を手で保持して上下方向に移動する。そして、本実施形態の場合、図９（ｂ）に示すように、プロジェクター５の後部を手で保持して上方向に持ち上げ、プロジェクター５から投写される画像光をスクリーンＳの投写位置に合わせる。合わせた後、ボルト７０３を締め付ける（固定用孔部１０７に螺合させる）ことにより、第１角度調整孔部２０５が固定用孔部１０７とボルト７０３により挟持されることにより、保持ユニット７を第１基板１０に固定（本固定）する。
以上により、図９（ｃ）に示すように、前後方向の角度調整を行うことができる。
【００８９】
なお、第１保持部材５０は、保持ユニット７において、プロジェクター５の重心位置に相対する部位に設置されているため、第１保持部材５０の軸方向（軸Ａ）に垂直な方向となる前後方向のバランスが取れている。従って、前後方向の角度調整を行う場合、プロジェクター５を支える力はほとんど必要なく、プロジェクター５に軽く手を添えて上下方向に移動（回動）させることで、所望の角度に調整することができる。
【００９０】
図９に示すように、保持ユニット７を正規な位置に保持した場合、第２基板２０の起立部２０２に形成した切り欠き部２０３（第２基板２０の外周）から外部に延出し、第１基板１０の案内部１０４の先端部が目視できるように、案内部１０４の先端部が形成されている。このように形成される先端部を確認用領域Ｆとしている。上述したように、第１基板１０に保持ユニット７を掛着させた場合、正常に掛着した場合には、天吊り装置１の左右方向から、この確認用領域Ｆを目視することができる。
【００９１】
すなわち、第１基板１０に保持ユニット７を保持させた場合、左右方向から確認用領域Ｆが目視することができる場合には、第１保持部１０５に第１保持部材５０が正常に保持されていることになる。また、逆に、左右方向から確認用領域Ｆが目視することができない場合には、正常に保持されていないことになる。なお、正常に掛着されていない場合には、保持ユニット７の掛着をやり直して、左右方向から確認用領域Ｆが目視できるようにすることになる。
【００９２】
図１０は、天吊り装置の左右方向の角度調整について説明する側面図であり、図１０（ａ）は、保持ユニットを第１基板に略平行に仮固定した場合の側面図であり、図１０（ｂ）は、保持ユニットを第１基板に対して左側を下げる（右側を上げる）角度調整を行った場合の側面図である。なお、図１０（ｂ）においては、プロジェクター５を含めて図示している。また、図１０（ａ）に示す図は、プロジェクター５を図示省略しているが、図１（ｂ）に示す図と同様の図となる。なお、図１０（ａ）と図１０（ｂ）とは、縮尺を変えている。図１０を参照して、天吊り装置１の左右方向の角度調整（第１基板１０に対する保持ユニット７の左右方向の角度調整）に関して説明する。
【００９３】
本実施形態での左右方向の角度調整は、第２保持部材６０（軸Ｂ）を中心として保持ユニット７を左右方向に傾けて調整する。詳細には、プロジェクター５の左右端部を手で保持して上下方向に移動させて行う。
【００９４】
なお、左右方向の角度調整範囲は、第２保持部材６０を中心として、第２角度調整孔部３１０，３１１の長手方向外周とボルト７０１の軸半径とで設定される角度調整範囲Ｄとなる。本実施形態における左右方向の角度調整範囲Ｄは、約±５°の範囲となる。
【００９５】
角度調整の手順を説明する。
図１０（ａ）は、詳細には、保持ユニット７において、第２保持部材６０を介して、第２基板２０に第３基板３０を保持させ、ボルト７０１により、第３基板３０の第２角度調整孔部３１０，３１１を挿通させて、第２基板２０の固定用孔部２１３，２１４に仮固定した状態を示す図である。角度調整を行う場合、最初に、図１０（ａ）において、仮固定したボルト７０１を緩める。これにより、保持ユニット７において、第２基板２０に対して第２保持部材６０を中心にして、プロジェクター５を保持した第３基板３０が回動自在となる。
【００９６】
次に、プロジェクター５の左右端部を手で保持して上下方向に移動する。そして、図１０（ｂ）に示すように、プロジェクター５の左右端部を手で保持し、左端部を下方向に下げ（右端部を上方向に持ち上げ）、プロジェクター５から投写される画像光をスクリーンＳの投写位置に合わせる。合わせた後、ボルト７０１を締め付ける（固定用孔部２１３，２１４に螺合させる）ことにより、第２角度調整孔部３１０，３１１が固定用孔部２１３，２１４とボルト７０１により挟持されることにより、第１基板１０にプロジェクター５を保持した第３基板３０を固定（本固定）する。
以上により、左右方向の角度調整を行うこができる。
【００９７】
なお、第２保持部材６０は、保持ユニット７において、プロジェクター５の重心位置に相対する部位に設置されているため、第２保持部材６０の軸方向（軸Ｂ）に垂直な方向となる左右方向のバランスが取れている。従って、左右方向の角度調整を行う場合、プロジェクター５を支える力はほとんど必要なく、プロジェクター５の左右端部に軽く手を添えて上下方向に移動（回動）させることで、所望の角度に調整することができる。
【００９８】
上述した実施形態によれば、以下の効果が得られる。
本実施形態の天吊り装置１によれば、第３基板３０と共にプロジェクター５を保持した第２基板２０の第１保持部材５０の両端近傍を、第１基板１０の一対の案内部１０４に掛着して摺動し、一対の第１保持部１０５に回動自在に保持させる。このように、第１基板１０に備える一対の案内部１０４に、第２基板２０に備える第１保持部材５０の両端近傍を掛着させて摺動することにより、第１基板１０の第１保持部１０５や案内部１０４、および第２基板２０の第１保持部材５０が目視できなくても、第２基板２０の第１保持部材５０を、第１保持部１０５に保持させることが容易に行える。
【００９９】
なお、掛着する作業に至る直前の作業として、第１基板１０の案内部１０４と保持ユニット７の第１保持部材５０との位置を目視で概略合わせることを行う。その後、案内部１０４への第１保持部材５０の掛着を実際に行う作業が目視できなくても、真上に持ち上げることで、掛着させることが可能となる。その後は、摺動させるという容易な動作で、第１保持部１０５に第１保持部材５０を保持させることができる。
【０１００】
なお、従来の天吊り装置は、案内部を有しておらず、直接、保持部などに掛着していたため、保持部に確実に掛着できるまでプロジェクターを抱えて作業を行う必要があった。これにより、設置作業の安全性が低下していた。これに対し、本実施形態の天吊り装置１は、第１保持部１０５に直接掛着するのではなく、一旦、案内部１０４に掛着させる。その後、案内部１０４を摺動させることにより、第１保持部１０５に掛着させる。なお、案内部１０４に第１保持部材５０を掛着させる作業は容易に行われる。また、案内部１０４に対して第１保持部材５０を摺動させる際は、プロジェクター５から仮に手を離したとしても脱落することがなくなる。そのため、作業者は、保持ユニット７（プロジェクター５、第３基板３０、および第２基板２０）の重量から開放される。そして、作業者は、プロジェクター５が回転しないように手を添えながら、案内部１０４の上端面１０４ａに第１保持部材５０を摺動させることにより、第１保持部１０５に第１保持部材５０を確実に設置して保持させることができる。これにより、設置作業の安全性を向上させることができる。
【０１０１】
また、第１保持部材５０は、１つの回動軸で構成し、一対（２つ）の第１保持部１０５に保持されて回動を行うため、第１保持部１０５の成形による位置ズレには影響されずに、安定した回動を行うことできる。これにより、保持ユニット７は安定した回動を行うことができる。
【０１０２】
本実施形態の天吊り装置１によれば、第１基板１０には、補助部として切り欠き部１１０を備えているため、案内部１０４に保持ユニット７の第１保持部材５０を目視せずに掛着する際、切り欠き部１１０を利用して容易に案内部１０４に掛着することができる。なお、切り欠き部１１０の端面１１０ａに第１保持部材５０を当接させて、案内部１０４側に摺動させることで、案内部１０４の上端面１０４ａに確実に第１保持部材５０を誘導することができる効果は大きい。これにより、設置作業の効率化を図ることができ、設置状態の信頼性の更なる向上と、設置作業の安全性の更なる向上を図ることができる。
【０１０３】
また、第２基板２０には、補助部として湾曲部２０６を備えているため、第１保持部材５０を案内部１０４に掛着する際に、第１保持部材５０を固定している起立部２０２が案内部１０４の先端部分や、側面部分に当接した場合にも、噛み付きを防止して、起立部２０２にスムーズな動作を行わせる。これにより、第１保持部材５０を案内部１０４に沿わせてスムーズに摺動させることができる。従って、設置作業の効率化を図ることができ、設置状態の信頼性の更なる向上と、設置作業の安全性の更なる向上を図ることができる。
【０１０４】
本実施形態の天吊り装置１によれば、２つの固定用孔部１０７とボルト７０３により第２基板２０を仮固定し、第１保持部材５０を回動軸としてプロジェクター５（保持ユニット７）を回動させ、固定用孔部１０７、第１角度調整孔部２０５、およびボルト７０３により、プロジェクター５の前後方向の回動角度を調整する。調整後、固定用孔部１０７とボルト７０３により第２基板２０を本固定する。また、保持ユニット７は、第１保持部材５０により、第１保持部１０５の成形による位置ズレには影響されずに、安定した回動を行う。従って、角度調整作業を正確で効率的に行うことができる。
【０１０５】
本実施形態の天吊り装置１によれば、第２保持部材６０は、第１保持部材５０の軸方向（軸Ａ）に直交し、第３基板３０に固定され、第２基板２０に有する一対の第２保持部としての保持用孔部２１２に両端近傍を回動自在に保持される。これにより、保持ユニット７は、１つの回動軸（軸Ｂ）で回動できるため、保持用孔部２１２の成形による位置ズレには影響されずに、安定した回動を行うことができる。また、この回動は、第１保持部材５０の軸方向（軸Ａ）に直交した回動軸（軸Ｂ）で回動を行うことができる。
【０１０６】
本実施形態の天吊り装置１によれば、２つの固定用孔部２１３，２１４とボルト７０１により第３基板３０を仮固定し、第２保持部材６０を回動軸としてプロジェクター５を回動させ、固定用孔部２１３，２１４および第２角度調整孔部３１０，３１１により、プロジェクター５の左右方向の回動角度を調整する。調整後、ボルト７０１と固定用孔部２１３，２１４により第３基板３０を本固定する。なお、第２保持部材６０は１つで構成し、一対（２つ）の保持用孔部２１２に保持されて回動を行うため、１つの回動軸（軸Ｂ）で、保持用孔部２１２の成形による位置ズレには影響されずに、保持ユニット７は安定した回動を行うことができる。従って、左右方向の角度調整作業を正確で効率的に行うことができる。
【０１０７】
本実施形態の天吊り装置１によれば、第１保持部材５０を回動軸として回動させて行う前後方向の角度調整の他、第１保持部材５０に直交する第２保持部材６０を回動軸として回動させて行う左右方向の角度調整も行える。これにより、直交する２方向（前後方向と左右方向）の角度調整が正確で効率的に行うことができる。
【０１０８】
本実施形態の天吊り装置１によれば、第１保持部材５０が、プロジェクター５の重心位置に相対する部位に設置されている。これにより、第１保持部材５０の軸方向（軸Ａ）に垂直な方向（前後方向）のバランスが取れる。そのため、案内部１０４に第１保持部材５０を掛着した後では、プロジェクター５（保持ユニット７）を支える力はほとんど必要なくなる。そのため、案内部１０４に第１保持部材５０を掛着した後、案内部１０４に第１保持部材５０を摺動させて第１保持部１０５に保持させるまでの作業を安全に行うことができ、確実に保持させることができる。従来は、回動軸となる部材が、プロジェクターの重心位置に相対する部位に設置されておらず、掛着した後も、プロジェクターを支える大きな力が必要であった。また、プロジェクター５の前後方向の角度調整作業においても、従来に比べて弱い力でプロジェクター５を回動できることで、前後方向の角度調整作業を安全で効率的に行うことができる。
【０１０９】
本実施形態の天吊り装置１によれば、第２保持部材６０が、プロジェクター５の重心位置に相対する部位に設置されている。これにより、第２保持部材６０の軸方向（軸Ｂ）に垂直な方向のバランスが取れる。従って、プロジェクター５の左右方向の角度調整作業において、従来に比べて弱い力でプロジェクター５を回動でき、左右方向の角度調整作業を安全で効率的に行うことができる。
【０１１０】
本実施形態の天吊り装置１によれば、第１基板１０の案内部１０４の先端部に、確認用領域Ｆを有している。そして、第１基板１０に対して第２基板２０（保持ユニット７）を正規な位置に保持した場合、第２基板２０の外周から確認用領域Ｆが目視できるようにしている。これにより、第１基板１０への保持ユニット７の設置作業が終了した後、第２基板２０の外周から外部に延出する確認用領域Ｆが目視できるか否かで、天吊り装置１に保持されたプロジェクター５が、正常な位置に保持されているか否かが確認できる。従って、天吊り装置１に保持したプロジェクター５の安全性の確認が、天吊り装置１から離れた場所で、目視で行える。これにより、設置後のメンテナンス性を向上させることができる。
【０１１１】
本実施形態の天吊り装置１によれば、第１基板１０から保持ユニット７が脱落する状況に至るには、第１保持部材５０が、第１保持部１０５から外れ、且つ、第１保持部１０５につながる案内部１０４を摺動して、案内部１０４から外れる必要がある。なお、従来は、案内部を有していないため、保持部から外れると脱落する恐れがあった。しかし、本実施形態では、案内部１０４を有しており、また、案内部１０４は、第１保持部材５０が充分に摺動できる程度に長く形成しているため、第１保持部材５０が第１保持部１０５から外れても脱落を回避することができる。また、第１保持部材５０が摺動する案内部１０４の上端面１０４ａは、前方向（第１保持部１０５の方向）に向かって下方向に緩やかに傾斜している（言い換えると、前方向から後方向に向かって上方向に上がる傾斜となっている）ため、摺動し難く、案内部１０４から更に外れ難くなり、脱落を更に回避することができる。
【０１１２】
本実施形態の天吊り装置１によれば、天吊り装置１を目視できなくても確実な設置が行える設置状態の信頼性を向上でき、その際の設置作業の安全性も向上でき、また、設置後の安全性も確保できる天吊り装置１が実現する。
【０１１３】
本実施形態の天吊り装置１によれば、従来に比べて、目視できなくても確実な設置が行える設置状態の信頼性を向上できるため、プロジェクター５を天井面８００に極力接近できる（プロジェクター５と天井面８００との隙間を極力狭くできる）薄型構造とすることができる。
【０１１４】
本実施形態の天吊り装置１によれば、目視できなくても確実な設置が行える設置状態の信頼性を向上できるため、従来のように、天吊り装置の外形（平面サイズ）をプロジェクターの外形（平面サイズ）に近づけることにより天吊り装置を目視できるようにする必要がない。これにより、天吊り装置１の外形（平面サイズ）をプロジェクター５の外形（平面サイズ）に近づけることなく、コンパクトな平面サイズとすることできる。これにより、天吊り装置１の小型化が図れる。従って、天吊り装置１を更に目立たせないように構成でき、見栄えの課題を解決することができる。
【０１１５】
なお、上述した実施形態に限定されず、その要旨を逸脱しない範囲において種々の変更や改良などを加えて実施することが可能である。変形例を以下に述べる。
【０１１６】
前記実施形態の天吊り装置１において、第２基板２０は、第３基板３０を介してプロジェクター５を間接的に保持しているが、第３基板３０を介さず、第２基板２０にプロジェクター５を直接的に保持させる構成としてもよい。この場合、前記実施形態の天吊り装置１は、第３基板３０を有さない構造となり、プロジェクター５の前後方向の角度調整を行うことができる。なお、この場合、プロジェクター５の固定方向を変えることにより、前後方向に変えて左右方向の角度調整を行うこともできる。
【０１１７】
前記実施形態の天吊り装置１は、プロジェクター５のハンドル５１１を保持するハンドル保持部材４０を備えている。しかし、プロジェクターがハンドルを備えず、ナットを有した脚部などを備える場合には、ハンドル保持部材は必ずしも必要なく、その脚部を利用して、第３基板３０にプロジェクターを固定する構造としてもよい。
【０１１８】
確認用領域Ｆは、案内部１０４の先端部に有している。しかし、確認用領域は、第２基板２０を第１基板１０の正規な位置に保持した場合、第２基板２０の外周から外部に延出して目視できるのであれば、どこに設けてもよい。
【符号の説明】
【０１１９】
１…天吊り装置、５…プロジェクター、６…掛着ユニット、７…保持ユニット、１０…第１基板、２０…第２基板、３０…第３基板、５０…第１保持部材、６０…第２保持部材、１０４…案内部、１０５…第１保持部、１０７…固定用孔部、１１０…切り欠き部、２１２…保持用孔部、２０５…第１角度調整孔部、２０６…湾曲部、２１３，２１４…固定用孔部、３１０，３１１…第２角度調整孔部、７０１，７０３…ボルト、８００…天井面、Ｆ…確認用領域、Ｓ…スクリーン。
【図１】
2011013267.tif 000003
【図２】
2011013267.tif 000004
【図３】
2011013267.tif 000005
【図４】
2011013267.tif 000006
【図５】
2011013267.tif 000007
【図６】
2011013267.tif 000008
【図７】
2011013267.tif 000009
【図８】
2011013267.tif 000010
【図９】
2011013267.tif 000011
【図１０】
2011013267.tif 000012
【図１１】
2011013267.tif 000013